(57)【要約】【課題】外ノズルと吐出器本体との間に内ノズルを介在させ、外ノズルの向きを変えずに本体側に対して内ノズルを回転させることにより、液漏れを生ずることなく流路を開閉できるようにした吐出器を提供する。【解決手段】  水平な射出筒１２を有する吐出器本体２と、前記射出筒１２の先端部に取付けられたノズル部材３０とを具備する。このノズル部材３０は、前記射出筒１２の先端部に嵌合された内ノズル３２と、この内ノズル３２のさらに先端側に嵌合されるとともに上方へ突出するノズル管５２を有する外ノズル４２と、射出筒１２に対する前記外ノズル４２の回転を規制する回り留め手段Ｔとを有し、前記射出筒１２及び外ノズル４２に対して内ノズル３２が回転可能に形成されている。また前記内ノズル３２を射出筒１２に対して回転させることによりノズル部材３０の開閉状態の切替を可能とする開閉機構Ｄを設けた。【選択図】図１
2018034866.tif 000002
【特許請求の範囲】
【請求項１】
上流側に容器体口頸部(１０２)への取付け用の下方開口の取付け口(６)を、下流側に水平な射出筒(１２)をそれぞれ有するとともに、中間部にポンプ室(Ａ)を含む液体流路(Ｐ１)を備え、操作部(２０)を操作することにより、容器体(１００)内の液体を、ポンプ室(Ａ)へ吸い込むとともに、ポンプ室(Ａ)から射出筒(１２)の先端より外方へ吐出することが可能に構成した吐出器本体(２)と、
前記射出筒(１２)の先端部に取付けられたノズル部材(３０)とを具備し、
このノズル部材(３０)は、前記射出筒１２の先端部に嵌合された内ノズル(３２)と、この内ノズル３２のさらに先端側に嵌合されるとともに上方へ突出するノズル管(５２)を有する外ノズル(４２)と、射出筒(１２)に対する前記外ノズル(４２)の回転を規制する回り留め手段(Ｔ)とを有し、前記射出筒(１２)及び外ノズル(４２)に対して内ノズル(３２)が回転可能に形成されており、
前記内ノズル(３２)を射出筒(１２)に対して回転させることによりノズル部材(３０)の開閉状態の切替を可能とする開閉機構(Ｄ)が設けられた、
ことを特徴とする、吐出器。
【請求項２】
前記内ノズル(３２)の側面から突出された回転レバー(４０)を、ノズル開放用の第１位置とノズル閉塞用の第２位置との間で回動させることで前記開閉機構(Ｄ)による開閉動作が可能に形成されており、
前記回り留め手段(Ｔ)として、前記回転レバー(４０)の回動範囲から外れた場所に、外ノズル(４２)から射出筒(１２)側へ延び、吐出器本体(２)の適所に係止させた係止アーム(５０)が設けられていることを特徴とする、
請求項１に記載した吐出器。
【請求項３】
前記吐出器本体(２)は、射出筒(１２)から揺動可能に垂下するトリガー(２０)を有し、
前記回り留め手段として、外ノズル(４２)からボディに対して係止可能な一対の係止アーム(５０)が突設されていることを特徴とする、
請求項２に記載した吐出器。
【請求項４】
前記外ノズル(４２)のノズル管(５２)の内部を、吐出用流路(Ｐ２)と外気導入路(Ｐ３)とに２分する隔壁(５４)を設け、この隔壁(５４)の内ノズル(３２)寄りの端部に前記吐出用流路(Ｐ２)及び外気導入路(Ｐ３)を連通可能な第１連通孔(５８)を開口したことを特徴する、
請求項１から請求項３の何れかに記載の吐出器。
【請求項５】
前記ノズル管(５２)の基部(５２ａ)より上側へ屈曲する先部(５２ｂ)を突出させ、ノズル管(５２)の基部(５２ａ)を内ノズル(３２)側に嵌合するととともに、ノズル管(５２)の先部に第２連通孔(５９)を設けたことを特徴する、
請求項１から請求項３の何れかに記載の吐出器。
【発明の詳細な説明】
【技術分野】
【０００１】
本発明は、吐出装置に関する。
【背景技術】
【０００２】
吐出装置として、射出筒の先端に回転自在にノズルを嵌合させ、この嵌合箇所にノズル側及び射出筒側の相互に溝部を設け、このノズルの回転により、溝部同士が接続したときにノズル内部の流路が開通する流路開閉機構を設けたものが知られている。
この種の吐出器においてノズルをL字形の曲がり管とし、ノズルの先部が正面から見て所定方向（例えば時計盤で表現すると１０時、１４時の方向）に向いたときに流路が開通するように構成したものが知られている（特許文献１段落００２２、００２６参照）。
【先行技術文献】
【特許文献】
【０００３】
【特許文献１】特開２０１１−１３６２６０
【発明の概要】
【発明が解決しようとする課題】
【０００４】
特許文献１のものでは、流路を遮断するときにノズルの先部を前記所定方向以外の方向に向ける必要があるが、利用者がノズル先部を向けることにより、その先部から液漏れして、周囲を汚す可能性がある。
【０００５】
本発明の目的は、外ノズルと吐出器本体との間に内ノズルを介在させ、外ノズルの向きを変えずに本体側に対して内ノズルを回転させることにより、液漏れを生ずることなく流路を開閉できるようにした吐出器を提供することにある。
【課題を解決するための手段】
【０００６】
第１の手段は、
上流側に容器体口頸部１０２への取付け用の下方開口の取付け口６を、下流側に水平な射出筒１２をそれぞれ有するとともに、中間部にポンプ室Ａを含む液体流路Ｐ１を備え、操作部２０を操作することにより、容器体１００内の液体を、ポンプ室Ａへ吸い込むとともに、ポンプ室Ａから射出筒１２の先端より外方へ吐出することが可能に構成した吐出器本体２と、
前記射出筒１２の先端部に取付けられたノズル部材３０とを具備し、
このノズル部材３０は、前記射出筒１２の先端部に嵌合された内ノズル３２と、この内ノズル３２のさらに先端側に嵌合されるとともに上方へ突出するノズル管５２を有する外ノズル４２と、射出筒１２に対する前記外ノズル４２の回転を規制する回り留め手段Ｔとを有し、前記射出筒１２及び外ノズル４２に対して内ノズル３２が回転可能に形成されており、
前記内ノズル３２を射出筒１２に対して回転させることによりノズル部材３０の開閉状態の切替を可能とする開閉機構Ｄが設けられた。
【０００７】
本手段は、図１又は図１１に示す如く、吐出器本体２の射出筒１２に取り付けるノズル部材３０を、射出筒１２の先端に嵌合された内ノズル３２と、内ノズル３２のさらに先端に嵌合されると共に、上向きのノズル管５２を含む外ノズル４２と、射出筒１２に対して外ノズルの回転を規制する回り留め手段Ｔとで形成することを提案する。そして射出筒１２及び外ノズル４２に対して内ノズル３２のみを回転できるようにする。これにより、外ノズル４２の向きを変えずに内ノズル３２を回転させることで、射出筒１２から内ノズル３２を経由して外ノズル４２へ通ずる流路を開閉できる。
【０００８】
「ノズル管」は、管壁の末端部分が上側を向いていれば良く、図２に示すようなＬ字形の曲り管に限定されない。また「上方へ突出する」とは真上に突出しているものに限らず、斜め上方へ向かうものも含まれる。少なくとも管壁の先端からの液漏れを抑制できればよいからである。
「操作部」は、吐出器を動作させるスイッチとなればどのようなものでもよく、トリガーに限定されない。
【０００９】
第２の手段は、第１の手段を有し、
前記内ノズル３２の側面から突出された回転レバー４０を、ノズル開放用の第１位置とノズル閉塞用の第２位置との間で回動させることで前記開閉機構Ｄによる開閉動作が可能に形成されており、
前記回り留め手段Ｔとして、前記回転レバー４０の回動範囲から外れた場所に、外ノズル４２から射出筒１２側へ延び、吐出器本体２の適所に係止させた係止アーム５０が設けられている。
【００１０】
本手段は、図３、図５に示す如く、内ノズル３２の側面から突出された回転レバー４０の回動範囲から外れた場所に回り留め手段Ｔである係止アーム５０を設けることができる。係止アーム５０によって邪魔されずに回転レバー４０による内ノズル３２の回転操作を行うことができる。なお、前記内ノズル３２を覆う外ノズル４２の筒壁の一部に回転レバー４０を挿通するための挿通口４９を形成してもよい。
【００１１】
第３の手段は、第２の手段を有し、
前記吐出器本体２は、射出筒１２から揺動可能に垂下するトリガー２０を有し、
前記回り留め手段として、外ノズル４２からボディに対して係止可能な一対の係止アームが突設されている。
【００１２】
本手段は、図３、図５に示す如く、射出筒１２の両側のボディに位置する一対の係止アーム５０を設けることを提案する。これら係止アーム５０はボディに係止することで内ノズル３２を制止する。ここでボディとは、射出筒付近の本体部分という程度の意味であり、射出筒自体も射出筒に付随するパーツ（トリガーなど）も含む。
【００１３】
第４の手段は、第１の手段から第３の手段のいずれかを有し、
前記外ノズル４２のノズル管５２の内部を、吐出用流路Ｐ２と外気導入路Ｐ３とに２分する隔壁５４を設け、この隔壁５４の内ノズル３２寄りの端部に前記吐出用流路Ｐ２及び外気導入路Ｐ３を連通可能な第１連通孔５８を開口している。
【００１４】
本手段は、図２に示す如く、ノズル管５２の内部を隔壁５４によって吐出用流路Ｐ２と外気導入路Ｐ３とに分割することを提案している。これにより吐出用の内容物に対して外気を効果的に取り込むことができる。
【００１５】
第５の手段は、第１の手段から第３の手段のいずれかを有し、
前記ノズル管５２の基部５２ａより上側へ屈曲する先部５２ｂを突出させ、ノズル管５２の基部５２ａを内ノズル３２側に嵌合するととともに、ノズル管５２の先部に第２連通孔５９を設けた。
【００１６】
本手段は、図１１に示す如く、ノズル管５２の基部５２ａに対して先部５２ｂを上側へ屈曲させ、この先部５２ｂに第２連通孔５９を設けることを提案している。これにより、簡易な構成で内容物の流路に対して外気を導入できる。
【発明の効果】
【００１７】
第１の手段に係る発明によれば、内ノズル３２を射出筒１２に対して回転させることによりノズル部材３０の開閉状態の切替を可能とする開閉機構Ｄが設けられており、かつ前記射出筒１２に対する前記外ノズル４２の回転を規制する回り留め手段Ｔを備えるから、前記内ノズルを回転させても、内ノズル３２とともに外ノズル４２が回ってしまうことがなく、外ノズル４２から液ダレを生ずることがない。
第２の手段に係る発明によれば、内ノズル３２から突出された回転レバーの回動範囲から外れた場所に外ノズルを係止させるための係止アーム５０を設けたから、回転レバー４０の操作性を妨げることがない。
第３の手段に係る発明によれば、射出筒１２の両側のボディに係止可能な回り留め手段である一対の係止アーム５０を設けたから、トリガー式の吐出器の既存の構成を外ノズルの回り留めに利用して簡易な構成とすることができる。
第４の手段に係る発明によれば、ノズル管５２の内部に隔壁５４により区分された吐出用流路Ｐ２と外気導入路Ｐ３を設けたから、吐出用流路Ｐ２に効率的に外気を導入することができる。
第５の手段に係る発明によれば、ノズル管５２の先部５２ｂに第２連通孔５９を開口したから、簡易な構成で外気の導入が可能となる。
【図面の簡単な説明】
【００１８】
【図１】本発明の第１実施形態に係る吐出器の一部切欠き側面図である。
【図２】図１の吐出器の拡大図である。
【図３】図１の吐出器の正面図である。
【図４】図１の吐出器のノズル管のキャップを外した状態での平面図である。
【図５】図１の吐出器の使用状態を正面方向から見た説明図である。
【図６】図５の使用状態を側面方向から見た説明図である。
【図７】図１の吐出器の外ノズルの正面図である。
【図８】図７の外ノズルの側面図である。
【図９】図７の外ノズルの側方から見た断面図である。
【図１０】図１の吐出器を用いてトイレの便座に薬剤を吐出する実施例を示す説明図である。
【図１１】本発明の第２実施形態に係る吐出器の一部切欠き側面図である。
【図１２】図１１の吐出器の要部拡大図である。
【発明を実施するための最良の形態】
【００１９】
図１から図１０は、本発明の第１実施形態の吐出器１を示している。この吐出器１は、吐出器本体２と、ノズル部材３０とで構成されている。
【００２０】
吐出器本体２は、装着部材４と、流路形成部材８と、操作部であるトリガー２０と、カバー部材２８とを備えている。
【００２１】
前記装着部材４は、容器体１００との取付け口６を下面に開口する装着筒部４ａを有し、この装着筒部４ａを容器体１００の口頸部１０２外周に嵌合させて吐出器１を容器体に装着することができるように設けられている。
【００２２】
前記流路形成部材８は、容器体側から吸上げた液体を後述のノズル部材３０へ導く液体流路Ｐ１を形成するための部材である。
図示例の流路形成部材８は、前記装着筒部４ａ内に挿入されかつ容器体１００の口頸部１０２へ液密に嵌合可能な嵌着基部９を有し、この嵌着基部９から縦主筒１０を起立するとともに、縦主筒１０の上部から射出筒１２を前方突出し、また射出筒１２の下側で縦主筒１０から前下方へシリンダ１８を突出している。シリンダ１８内には図３に示すピストン１９を進退可能に収納してポンプ室Ａを形成している。またシリンダ１８とピストン１９との間にはコイルスプリングが介装されている。
なお、本明細書において、“前”とは図１の右方を、また“後”とは同図の左方を言うものとし、また紙面に垂直な方向を左右方向とする。
前記嵌着基部９からは吸い上げパイプ１１が垂下されている。
前記射出筒１２の前端部は、拡径筒部１２ａに形成されている。
また射出筒１２には、弁部材１６が挿入されている。本実施形態の弁部材１６は、波状板部１６ａと横向き柱状の弁部１６ｂとで構成されている。これらの構造は適宜変更することができる。
そして波状板部１６ａの図示しない後端部を射出筒１２内の適所に固定するとともに前記弁部１６ｂを後述の内ノズル３２に当接することにより、前記液体流路Ｐ１のうちポンプ室Ａの下流に位置する下流側逆止弁Ｖが形成されている。
前記液体流路Ｐ１のうちポンプ室Ａの上流側には、上流側逆止弁（図示せず）が形成されている。
【００２３】
トリガー２０は、射出筒１２の前部両側に上端部を回動可能に連結して前後方向に揺動可能に垂下されている。トリガー２０は、前記ピストン１９に連係されており、トリガー２０を後方へ引くと、コイルスプリングの前方付勢力に抗して、ピストン１９を後退させることが可能に形成されている。図示例のトリガー２０は、図３に示す縦長帯状の前板部２２を、前記射出筒１２の両側のボディに上端部を枢着させた一対の側板部２４の前端に連結させて形成しているが、その構造は適宜変更することができる。
【００２４】
カバー部材２８は、前記流路形成部材８の上側、後側及び左右両側を覆っている。
【００２５】
ノズル部材３０は、前記射出筒１２の前端部に付設されている。ノズル部材３０からは回転レバー４０が突出されており、このレバーの回転操作によりノズル部材内の流路を開閉する開閉機構Ｄが設けられている。説明の都合上、ノズル部材３０及び開閉機構Ｄの詳しい説明は後述する。
【００２６】
上記吐出器１を使用するには、図１に想像線で示す容器体１００の口頸部１０２に吐出器１を装着する。
前記回転レバーが図３に示す閉位置にある状態では、開閉機構Ｄがノズル部材３０内の流路を閉じており、トリガー２０を引いても液体を吐出できない。
回転レバー４０を図５に示す開位置に移動してトリガー２０を引くと、ピストン１９がシリンダ１８内で後退し、ポンプ室Ａ内の液体が下流側逆止弁Ｖ、射出筒１２を経てノズル部材３０から外方へ吐出される。トリガー２０を解放すると、コイルスプリングの弾性復元力により、ピストン１９が進出し、容器体１００内の液体が上流側逆止弁を介してポンプ室Ａ内に吸い込まれる。
【００２７】
本発明においては、前記ノズル部材３０は、図１に示す如く、内ノズル３２と外ノズル４２とを具備する。
【００２８】
前記内ノズル３２は、図２に示す如く、図示例において中心部に透孔３４を開口する縦基板３３を有し、この縦基板３３の後面から、小径筒部３６ａと中径筒部３６ｂと大径筒部３６ｃとを３重筒状に後方突出している。
この大径筒部３６ｃと中径筒部３６ｂとの間には前記射出筒１２の拡径筒部１２ａの前部が液密に挟持されている。
前記小径筒部３６ａの内部には前記弁部材１６の弁部１６ｂが挿入され、小径筒部３６ａ内で縦基板３３の後面に圧接され、下流側逆止弁Ｖが形成されている。
弁部１６ｂの外周面と小径筒部３６ａの内周面とには、射出筒１２に対する内ノズル３２の回転により、相互に連続しかつ分離することが可能な溝部がそれぞれ形成されており、これにより前述の開閉機構Ｄが形成されている。
またこれら溝部と前記透孔３４との間には従来公知のスピン溝Ｇが形成されている。
【００２９】
前記内ノズル３２の適所（図示例では左右方向一方側面）から前述の回転レバー４０が突出されている。図示の回転レバー４０は、内ノズル３２から横方向へ突出する横板部４０ａと、横板部４０ａから前記トリガー２０に沿って下方へ垂下する縦板部４０ｂとで形成されている。この縦板部４０ｂの下部からは、トリガーの側面との当接により回転レバーの回転範囲を規制する係止用板部ｓが後方突設されている。さらに前記縦板部４０ｂには、トリガー２０の前面を覆う覆い板ｃと、覆い板より前方へ突設する摘みｋとが付設されている。
【００３０】
前記縦基板３３の前面には、透孔３４を囲む環状溝３８が形成されている。図示の環状溝３８は、縦基板３３から前方突出する内筒部３８ａ及び外筒部３８ｂの間に形成されている。
【００３１】
前記外ノズル４２は、前記内ノズル３２の大径筒部３６ｃの外側に嵌合された横筒形状の基筒部４４を有し、この基筒部４４から前方突出するとともに上方へ屈曲するＬ字形のノズル管５２を備えている。
前記基筒部４４の前端からは第１連結壁部４６を介して外周壁４８が後方突出されている。図示例では、図７に破線で示す通り、外周壁４８の上壁部分が平板状になっており、基筒部４４の上壁部と連続している。しかしながら、その構造は適宜変更することができる。
そして外周壁４８の下壁部分の左右両側から、図９に示す如く、左右一対の係止アーム５０が後方へ突出されている。これら係止アーム５０は、射出筒付近のボディ部分の左右両側に沿うようにトリガーの位置或いは当該位置よりも後方へ延びて、ボディ両側に係止させている。これら両係止アーム５０により、吐出器本体２側に対する外ノズル４２を抑止する回り留め手段Ｔとして機能する。
なお、係止アームは、前記ボディ部分に限らず、トリガーの左右両側に係止させてもよく、係止の機能を果たすことができれば吐出器本体のどこに係止させてもよい。
両係止アーム５０は、トリガー２０の左右両側面に当接してもよいが、トリガー２０の操作を容易とするための遊びを存して近接させても構わない。
各係止アーム５０は、図示例では、図９に示す如く、断面縦長の係止板部５０ａと、係止板部５０ａの下端に付設された補剛リブ５０ｂとで形成している。もっともこの形状は適宜変更できる。
また好適な図示例において、前記基筒部４４の突出長は、図２に示す如く、内ノズル３２から回転レバー４０の突出位置に届かないように設計されている。外周壁４８は基筒部４４よりも長く設け、その筒壁の後端部の周方向の一部を切り欠いて、前記回転レバー４０を挿通するための挿通口４９を形成している（図６参照）。
【００３２】
前記ノズル管５２には、ノズル管の内部を管壁の曲りに沿って流体が通過する方向に延びる２つの部分に区分する隔壁５４を設け、その２つの部分の一方を吐出用流路Ｐ２、他方を外気導入路Ｐ３としている。
図示例において外気導入路Ｐ３は管壁の曲り部分の内側に、吐出用流路Ｐ２は曲り部分の外側に位置するように設けられている。このようにすると、図１０に示す使用状態において、外気導入路Ｐ３の外方側端部が吐出用流路Ｐ２の外方側端部の上に位置させることができ、位置関係が逆の場合に比べて外気の導入を的確に行うことができる。
また内容物吐出用流路Ｐ２の断面積は、図４に示す如く、外気導入路Ｐ３の断面積より大とすることが望ましい。
【００３３】
本実施形態では、前記隔壁５４は、図９に示す如く、ノズル管５２の基部５２ａの管軸方向（前後方向）と平行な第１隔壁部５４ａと、ノズル管５２の先部５２ｂの管軸方向（上下方向）と平行な第２隔壁部５４ｂとで形成している。この構成によれば、外ノズル４２を金型成形するときに型抜きが容易である。
図示例では、第２隔壁部５４ｂをノズル管の屈曲部の下側から先部５２ｂ上端付近へ延びる垂直壁部とするとともに、第１隔壁部５４ａを、前端を第２隔壁部５４ｂと連続する円筒形とし、
第１隔壁部５４ａの内側で第２隔壁部５４ｂに第１オリフィス５６を開口している。もっともこの構成は適宜変更することができる。前記円筒形の第１隔壁部５４ａの後端部は前記環状溝３８内に、周方向への摺動可能に嵌合されており、これにより、射出筒及び外ノズルに対する内ノズルの回転を可能としている。またこの第１隔壁５４ａの後部には、吐出用流路Ｐ２と外気導入路Ｐ３とを連通する第１連通孔５８が開口されている。
本実施形態では、トリガー操作により、透孔３４から液体が噴出するとともに、外気導入路Ｐ３を介して吸入された外気と混合し、液体と空気の混合物が吐出用流路Ｐ２の内面に衝突して発泡するため、その泡が第１オリフィス５６を通って吐出用流路Ｐ２の上端から噴出される。
【００３４】
前記外ノズル４２の上端にはキャップ７０を取り付けてもよい。このキャップ７０はキャップ筒７２と蓋部７４とをヒンジ７６で連結してなる。
【００３５】
また本実施形態では、前記一対の係止アーム５０同士の間隙を利用して、トリガーの操作を制止するための係止部材１４を組み付けている。図示例の係止部材は、射出筒１２を囲む縦長矩形のリング体であり、このリング体の孔（リング孔という）と射出筒１２の外面には遊び（昇降代）がある。係止部材１４とトリガー２０との対応箇所には凹凸状の係合手段があり、図３に示すように係止部材１４が射出筒１２対して下がった状態ではトリガーがロック状態となり、図５に示すように係止部材１４が上がった状態ではロックが解除されるように設けられている。図示例では、トリガー２０の前面に図５に示すように係合溝２１が形成されており、この係合溝２１に係合部材１４の後面に設けられた係合リブ１５を分離可能に嵌着させることで、トリガー２０の動きを制動する制動手段を形成している。
【００３６】
前記構成において、回転レバー４０を摘まんで図３に示す閉位置から図５に示す開位置まで回転するときには、射出筒１２に対して内ノズル３２が回転するが、このとき外ノズル４２は吐出器１側に対して係止されているので回転しない。これにより、需要者の意に反して外ノズル４２が下側へ回動し、液漏れを生ずることを防止する。そして前記内ノズル３２の回転により、開閉機構Ｄはノズル部材３０内の通路を開通させ、トリガー２０の操作による液体の吐出が可能となる。
この状態で例えば図１０に示すように吐出器付きの容器を横向けにし、ノズル管５２の先部５２ｂをトイレの便器の内側の縁部に向けて、トリガー２０を引くと、目的とする面に対して効率的に内容物を効果的に吹き付けることができる。
使用を終えたときには、前記回転レバー４０を前記開位置から閉位置へ回動することにより、前記開閉機構Ｄがノズル部材３０内の流路を閉塞させ、図１の状態に戻る。
【００３７】
以下、本発明の他の実施形態を説明する。これらの説明において第１実施形態と同じ構成に関しては解説を省略する。
【００３８】
図１１から図１２は、本発明の第２実施形態の吐出器１を示している。
本実施形態では、内ノズル３２は、縦基板３３の前面においては、前述の環状溝３８を省略して、単一のジョイント筒部３９を前方突出している。このジョイント筒部の縦基板３３部分の偏心位置に透孔３４が開口されている。
外ノズル４２は、図示例において、前後方向の基部５２ａと斜め上方へ延びる先部５２ｂとからなるくの字形のノズル管５２を有し、前記基部５２ａをジョイント筒部３９内に嵌着させている。前記ノズル管５２の基部５２ａと先部５２ｂとの間には、第２オリフィス４５ａを有する傾斜したオリフィス板４５が形成されている。
前記ノズル管５２の先端側からは第２連結壁部４７を介して外周壁４８を後方突出している。本実施形態では、前記先部５２ｂを形成する筒壁に適数（図示例では２個）の第２連通孔５９を開口している。従って簡易な構成で効率的に流路内に外気を導入できる。
図１２に示す如く、前記ノズル管５２の基部５２ａ内には、横向きの棒状体８０が嵌挿されている。この棒状体８０の前端面８２はオリフィス板４５と密接する傾斜面となっており、内ノズル３２を回転させたときに、棒状体８０は外ノズル４２とともに静止状態であるように形成されている。棒状体８０の外周面から後面外周部に亘って前記透孔３４と連通する複数（本実施形態では３本）のチャネル状通路８４が前後方向に形成されている。そしてチャネル状通路と連続して第２オリフィス４５ａに至るスピン溝Ｇが棒状体８０の前部とオリフィス板４５との間に形成されている。
本実施形態では、第２オリフィス４５ａから吐出された液体が第２連通孔５９から吸い込んだ外気と混合して、先部５２ｂの内面に衝突することで発泡し、外方へ泡を噴出するように構成している。しかしながら、吐出孔３４から吐出された液体が先部の内面に衝突しない状態のままで霧として噴出するようにしてもよい。
【符号の説明】
【００３９】
１…吐出器  ２…吐出器本体  ４…装着部材  ４ａ…装着筒部  ６…取付け口
８…流路形成部材  ９…嵌着基部  １０…縦主筒  １１…吸上げパイプ
１２…射出筒  １２ａ…拡径筒部
１４…係止部材  １５…係止リブ  １６…弁部材  １６ａ…波状板部  １６ｂ…弁部
１８…シリンダ  １９…ピストン
２０…トリガー（操作部）  ２１…係合溝  ２２…前板部  ２４…側板部
２６…補強リブ  ２６ａ…縦リブ
２６ｂ…横リブ  ２８…カバー部材
３０…ノズル部材  ３２…内ノズル  ３３…縦基板  ３４…透孔
３６ａ…小径筒部  ３６ｂ…中径筒部  ３６ｃ…大径筒部
３８…環状溝  ３８ａ…内筒部  ３８ｂ…外筒部  ３９…ジョイント筒
４０…回転レバー  ４０ａ…横板部  ４０ｂ…縦板部  
４２…外ノズル  ４４…基筒部  ４５…オリフィス板  ４５ａ…第２オリフィス
４６…第１連結壁部
４７…第２連結壁部  ４８…外周壁
４９…挿通口
５０…係止アーム  ５０ａ…係止板部  ５０ｂ…補剛リブ
５２…ノズル管  ５２ａ…基部  ５２ｂ…先部
５４…隔壁  ５４ａ…第１隔壁部  ５４ｂ…第２隔壁部
５６…第１オリフィス  ５８…第１連通孔  ５９…第２連通孔
６２…通液管
７０…キャップ  ７２…キャップ筒  ７４…蓋部  ７６…ヒンジ部
８０…棒状体  ８２…前端面  ８４…チャネル状通路  
１００…容器体  １０２…口頸部
Ａ…ポンプ室  c…覆い板  Ｄ…開閉機構  Ｇ…スピン溝  k…ノブ
Ｐ１…液体流路  Ｐ２…吐出用流路  Ｐ３…外気導入路
ｓ…係止用板部  Ｔ…回り留め手段
Ｖ…下流側逆止弁  
【図１】
2018034866.tif 000003
【図２】
2018034866.tif 000004
【図３】
2018034866.tif 000005
【図４】
2018034866.tif 000006
【図５】
2018034866.tif 000007
【図６】
2018034866.tif 000008
【図７】
2018034866.tif 000009
【図８】
2018034866.tif 000010
【図９】
2018034866.tif 000011
【図１０】
2018034866.tif 000012
【図１１】
2018034866.tif 000013
【図１２】
2018034866.tif 000014